Podtech/llm-jp-corpus-v4-ja_patent huggingface dataset:
(57)【要約】【課題】  ボールミル本体内の出口に設けられている塊流出防止網を撤去しても塊の流出を防止できるボールミル式粉体製造装置を得る。【解決手段】  ボールミルの回転中心軸線が水平方向であるボールミル本体１と、このボールミル本体１の回転中心軸線に沿う方向に備え付けられた塊導入パイプ２及び粉体送出パイプ３とを有する。粉体送出パイプ３には、その内壁に螺旋状に形成してガイド１１を設ける。ガイド１１の螺旋の方向は、ボールミル本体１の回転方向に対してボールミル本体１側に塊５を逆流させる方向となっている。【選択図】    図１                                                              
2005144259.tif 000002
【特許請求の範囲】
【請求項１】
ボールミルの回転中心軸線が水平方向であるボールミル本体と、該ボールミル本体の回転中心軸線に沿う方向に備え付けられた塊導入パイプ及び粉体送出パイプとを有し、塊から粉体を製造するボールミル式粉体製造装置であって、
前記粉体送出パイプには、その内壁に螺旋状に形成されたガイドが設けられており、前記螺旋の方向は、前記ボールミル本体の回転方向に対して該ボールミル本体側に塊を逆流させる方向であることを特徴とするボールミル式粉体製造装置。
【請求項２】
前記ガイドは溝状又はリブ状であることを特徴とする請求項１に記載のボールミル式粉体製造装置。
【請求項３】
前記粉体が鉛粉であることを特徴とする請求項１又は２に記載のボールミル式粉体製造装置。
【発明の詳細な説明】
【技術分野】
【０００１】
本発明は、鉛蓄電池用極板の活物質の原料である鉛粉等の粉体をボールミル方式にて製造するボールミル式粉体製造装置に関するものである。
【背景技術】
【０００２】
従来のボールミル式粉体製造装置としては、図２に示すように、ボールミルの回転中心軸線が水平方向であるボールミル本体１と、該ボールミル本体１の回転中心軸線に沿う方向に備え付けられた塊導入パイプ２及び粉体送出パイプ３とを有し、塊導入パイプ２の塊投入口２Ａから塊５を投入し、この塊導入パイプ２側の送風口４からボールミル本体１の回転中心軸線に沿って下流側に送風しつつボールミル本体１を矢印Ａ方向に回転し、ボールミル本体１内で塊５同士を衝突させて粉砕することにより粉体を製造し、得られた粉体を、吹き出しノズル６から吹き出される送風の気流中に浮遊させ、粉体送出パイプ３から粉吸引ダクト８を通じて外に回収していた。この場合、粉体送出パイプ３につなががるボールミル本体１の出口には、塊５がボールミル本体１から流出しないように塊流出防止網７を設置していた。また、粉体送出パイプ３の出口には、粉吸引ダクト８が接続されている。この粉吸引ダクト８と粉体送出パイプ３との接続部には、粉吸引ダクト８に対して整列させて二次空気取り入れ口９がダンパ１０を介して設けられている（例えば、特許文献１参照。）。
【非特許文献１】松田好晴、外１名、“電池便覧”、丸善株式会社、平成２年８月２０日、ｐ．１９４
【発明の開示】
【発明が解決しようとする課題】
【０００３】
しかしながら、上記の如きボールミル式粉体製造装置では、塊５を粉送出パイプ３からボールミル本体１の外部へ排出させないようにボールミル本体１の内部に塊流出防止網７を設置してあり、この設置位置が粉体送出経路のため網目に粉体が詰まり、粉体の製造条件上重要である排風圧力を変化させ、粉体の品質及び収量を変化させるという問題点があった。
【０００４】
本発明の目的は、ボールミル本体内の出口に設けられている塊流出防止網を撤去しても塊の流出を防止できるボールミル式粉体製造装置を提供することにある。
【課題を解決するための手段】
【０００５】
本発明は、ボールミルの回転中心軸線が水平方向であるボールミル本体と、該ボールミル本体の回転中心軸線に沿う方向に備え付けられた塊導入パイプ及び粉体送出パイプとを有し、塊から粉体を製造するボールミル式粉体製造装置を対象とする。
【０００６】
本発明に係るボールミル式粉体製造装置では、前記粉体送出パイプには、その内壁に螺旋状に形成されたガイドが設けられており、前記螺旋の方向は前記ボールミル本体の回転方向に対して該ボールミル本体側に塊を逆流させる方向であることを特徴とする。
【０００７】
この場合、前記ガイドは溝状又はリブ状であることが好ましい。
【０００８】
また、前記粉体は鉛粉であることが好ましい。
【発明の効果】
【０００９】
このように本発明のボールミル式粉体製造装置では、粉体送出パイプの内壁にボールミル本体の回転によりボールミル本体の方向へ塊を逆流させるガイドを設けたので、従来のボールミル式粉体製造装置に比べて、排風圧を安定化させることができ、製造される粉体の品質のバラツキ、収量のバラツキを防止することができる。このため本発明によれば、従来ボールミル本体内の出口に設けていた塊流出防止網を撤去しても塊の流出を防止することができる。
【００１０】
粉体送出パイプの内壁に設けるガイドを溝状又はリブ状とすると、塊をボールミル本体の方向へ確実に逆流させることができる。
【００１１】
また、粉体が鉛粉であると、鉛塊を投入することにより、製造される鉛粉体の品質のバラツキ、収量のバラツキを防止することができる。
【発明を実施するための最良の形態】
【００１２】
図１は本発明を実施するボールミル式粉体製造装置の最良の形態の一例を示す縦断面図である。なお、前述した図２と対応する部分には、同一符号を付けて示している。
【００１３】
本例のボールミル式粉体製造装置では、粉体送出パイプ３の内壁には螺旋状に形成されたガイド１１が設けられている。このガイド１１の螺旋の方向は、ボールミル本体１の回転方向に対して該ボールミル本体１側に塊５を逆流させる方向となっている。ガイド１１は、溝状又はリブ状となっている。
【００１４】
このように粉体送出パイプ３の内壁にボールミル本体１の回転によりボールミル本体１の方向へ塊５を逆流させるガイド１１を設けたので、従来のボールミル式粉体製造装置に比べて、排風圧を安定化させることができ、製造される粉体の品質のバラツキ、収量のバラツキを防止することができる。このため本発明によれば、従来ボールミル本体１内の出口に設ていた塊流出防止網７を撤去しても塊５の流出を防止することができる。
【００１５】
このようなボールミル式粉体製造装置は、鉛塊を投入して鉛粉を製造するボールミル式鉛粉製造装置に適用することができる。
【図面の簡単な説明】
【００１６】
【図１】本発明に係るボールミル式粉体製造装置の概略構成を示す縦断面図である。
【図２】従来のボールミル式粉体製造装置の概略構成を示す縦断面図である。
【符号の説明】
【００１７】
１  ボールミル本体
２  塊導入パイプ
２Ａ  塊投入口
３  粉体送出パイプ
４  送風口
５  塊
６  吹き出しノズル
７  塊流出防止網
８  粉吸引ダクト
９  二次空気取り入れ口
１０  ダンパ
１１  ガイド
【図１】
2005144259.tif 000003
【図２】
2005144259.tif 000004
(57)【要約】【課題】  焼却等の滅失処理や圧密・発酵等による高コストの製品化を図ることなく、刈草を環境に影響を与えないように迅速に処理して自然界に再帰させることができる低コストの刈草の処理方法を提供する。【解決手段】  貯水した撹拌槽２内に除草した刈草Ｐと枯草菌からなる分解菌Ｓと粘着剤Ｎを投入し、切羽５で刈草Ｐを微細に破砕して液状物Ｗとする。得られた液状物Ｗをポンプ７で送り出して作業者がホース８で除草した土手１０や河川敷１１に吹き付けると、液状物Ｗは混入した分解菌Ｓで破砕された刈草Ｐの成分が分解され、液状物Ｗ中の水分とともに養分となって土壌及び雑草に肥料として還元される。また、粘着剤Ｎにより吹き付け時の液状物Ｗの飛散も少なく作業が容易となる。【選択図】図１
2005144286.tif 000002
【特許請求の範囲】
【請求項１】
除草直後の刈草を水とともにミキサーに投入し、同刈草を破砕して液状物とし、同液状物を前記除草した場所に吹き付けることを特徴とする刈草の処理方法。
【請求項２】
ミキサーに刈草を分解する分解菌を投入し、粉砕した刈草の腐敗を早めるようにした請求項１記載の刈草の処理方法。
【請求項３】
分解菌が枯草菌である請求項２記載の刈草の処理方法。
【請求項４】
ミキサーに粘着剤を投入し、液状物の吹き付け時の飛散を低減できるようにした請求項１〜３いずれか記載の刈草の処理方法。
【発明の詳細な説明】
【技術分野】
【０００１】
本発明は刈草の処理方法に関し、詳しくは焼却等と比較して自然に優しく環境を壊さないように迅速に処理する技術に関する。
【背景技術】
【０００２】
従来、河川堤防等で除草した刈草を処理する技術は特許文献１〜４で開示されている。特許文献１は、除草した刈草を焼却炉で完全燃焼して大気汚染を低減する技術である。特許文献２は、除草した刈草を加熱圧縮してリサイクル製品に応用可能な成形品を得る技術である。特許文献３は、除草した刈草を圧密固化して焼却処理施設への運搬コストを低減する技術である。特許文献４は、除草した刈草を発酵させて有機肥料を得る技術である。
【０００３】
ところで、前記特許文献１の技術は不完全燃焼による大気汚染は低減できるが、二酸化炭素を排出する問題がある。特許文献２の技術はリサイクル製品の使用後の再処理の問題がある。特許文献３の技術は運搬コストは低減できるが、処理施設で焼却されるから二酸化炭素の排出の問題がある。特許文献４の技術は発酵に長期間を要し、処理にコストがかかる問題がある。
【特許文献１】特開平１１−２２９４５号公報
【特許文献２】特開２００１−３３４２４０号公報
【特許文献３】特開２００３−７１４１６号公報
【特許文献４】特開平６−１２２５８３号公報
【発明の開示】
【発明が解決しようとする課題】
【０００４】
本発明が解決しようとする課題は、従来のこれらの問題点を解消し、焼却等の滅失処理や圧密・発酵等による高コストの製品化を図ることなく、刈草を環境に影響を与えないように迅速に処理して自然界に再帰させることができる低コストの刈草の処理方法を提供することにある。
【課題を解決するための手段】
【０００５】
かかる課題を解決した本発明の構成は、
１）  除草直後の刈草を水とともにミキサーに投入し、同刈草を破砕して液状物とし、同液状物を前記除草した場所に吹き付けることを特徴とする刈草の処理方法
２）  ミキサーに刈草を分解する分解菌を投入し、粉砕した刈草の腐敗を早めるようにした前記１）記載の刈草の処理方法
３）  分解菌が枯草菌である前記２）記載の刈草の処理方法
４）  ミキサーに粘着剤を投入し、液状物の吹き付け時の飛散を低減できるようにした前記１）〜３）いずれか記載の刈草の処理方法
にある。
【発明の効果】
【０００６】
本発明によれば、環境に影響を与えることなく迅速に処理し、自然界に再帰させて養分として還元できる。
【発明を実施するための最良の形態】
【０００７】
本発明では、破砕時にミキサーに刈草を分解する分解菌を投入すると、刈草の腐敗を促進できて好ましい。分解菌としては主としてバチルス属細菌（Ｂａｃｉｌｌｕｓ  ｓｕｂｔｉｌｉｓ等）などの枯草菌があり、土壌や干草等に多く分布するものである。また、粘着剤を投入すると液状物に適度な粘性を与えて吹き付け時に風による飛散が低減できる。粘着剤としてはエポキシ樹脂や酢酸ビニル樹脂（商品名：ルナゾール，エスフィックス，クリコート等）などがあり、粘着性も付与して吹き付け面に塗着させるようにする。以下、本発明の実施例を図面に基づいて具体的に説明する。
【実施例１】
【０００８】
図１は実施例のミキサー及び液状物の吹き付けを示す説明図である。図中、１はミキサー、２は撹拌槽、２ａはフタ、２ｂは投入口、２ｃは排出口、３はモータ、４は回転軸、５は切羽、６は排出管、６ａはバルブ、７はポンプ、８はホース、９はノズル、１０は土手、１１は河川敷、Ｎは粘着剤、Ｐは刈草、Ｒは河川、Ｓは培養土、Ｗは液状物である。
【０００９】
本実施例のミキサー１は４ｔトラックの荷台に載荷できる大きさであって、図１に示すように上面にフタ２ａ付きの投入口２ｂと下部側面に排出口２ｃとを備えた所定容積の撹拌槽２内にモータ３を取り付け、モータ３の出力軸に切羽５を放射状に備えた回転軸４を軸着し、排出口２ｃにバルブ６ａとスラリーポンプからなるポンプ７を備えた排出管６を配管し、排出管６にノズル９を備えた所定長さのホース８を接続している。
【００１０】
本実施例では、図１に示すように貯水した撹拌槽２内に除草した長さ１００ｃｍ以内の刈草Ｐと枯草菌からなる分解菌を有する培養土Ｓを０．１〜０．２重量％と酢酸ビニル樹脂からなる粘着剤Ｎを総重量に対して０．１〜０．２重量％投入し、モータ３で切羽５を回転させて切羽５で刈草Ｐを１破砕当たり３〜５分かけて破砕片が１ｃｍ以内となるように破砕し、その後刈草Ｐを少量ずつ追加投入して最終的に１０％程度の濃度となるように前記投入・破砕を繰り返して液状物Ｗとする。
【００１１】
このようにして得られた前記液状物Ｗをポンプ７で送り出し、作業者がホース８で除草した土手１０や河川敷１１に吹き付ける。液状物Ｗは混入した分解菌と土中に生存している分解菌で破砕された刈草Ｐの成分が分解され、液状物Ｗ中の水分とともに養分となって土壌及び雑草に肥料として還元される。また、粘着剤Ｎにより吹き付け時の液状物Ｗの飛散も少なく作業が容易となる。
【産業上の利用可能性】
【００１２】
本発明の刈草の処理方法は、河川堤防の他、ゴルフ場の刈芝処理など広敷地で除草された刈草の処理に有用である。
【図面の簡単な説明】
【００１３】
【図１】実施例のミキサー及び液状物の吹き付けを示す説明図である。
【符号の説明】
【００１４】
１  ミキサー
２  撹拌槽
２ａ  フタ
２ａ  投入口
２ｃ  搬出口
３  モータ
４  回転軸
５  切羽
６  排出管
６ａ  バルブ
７  ポンプ
８  ホース
９  ノズル
１０  土手
１１  河川敷
Ｎ  粘着剤
Ｐ  刈草
Ｒ  河川
Ｓ  培養土
Ｗ  液状物
【図１】
2005144286.tif 000003
(57)【要約】【課題】携帯式の電動ハンドドリルや電動ハンドドライバーの本体に生じる急激な振動を利用してモーターの自動逆転器のロックアウトスイッチをオンにする仕組みを提供する。【解決手段】（イ）ロックアウトスイッチ１の一方の回路２に、電気伝導性の支柱３を取り付ける。（ロ）電気伝導性の支柱３に電気伝導性の板４を取り付ける。（ハ）電気伝導性の板４に電気伝導性の重り５を取り付ける。（ニ）電気伝導性の重り５の周囲に、電気伝導性の重り５に触れないように、電気伝導性の囲み９を設ける。（ホ）電気伝導性の囲み９の一部に、ロックアウトスイッチ１のもう一方の回路６を取り付ける。【選択図】  図２
2005144652.tif 000002
【特許請求の範囲】
【請求項１】
下記の要件を備えてなることを特徴とするモーターの自動逆転器のロックアウトスイッチ。
（イ）ロックアウトスイッチ１の一方の回路２に、電気伝導性の支柱３を取り付ける。
（ロ）電気伝導性の支柱３に電気伝導性の板４を取り付ける。
（ハ）電気伝導性の板４に電気伝導性の重り５を取り付ける。
（ニ）電気伝導性の重り５の周囲に、電気伝導性の重り５に触れないように、電気伝導性の囲み９を設ける。
（ホ）電気伝導性の囲み９の一部に、ロックアウトスイッチ１のもう一方の回路６を取り付ける。
【発明の詳細な説明】
【技術分野】
【０００１】  この発明は、携帯式の電動ハンドドリルや電動ハンドドライバー本体に急激な振動が生じた場合、その振動を利用してモーターの自動逆転器のロックアウトスイッチをオンにする仕組みに関するものである。
【背景技術】
【０００２】  従来の携帯式の電動ハンドドリルや電動ハンドドライバーには、図１で示すように、モーターを逆回転させるロックアウトスイッチが装着されているものがある。これは、材木の節などに強く食い込んでしまったドリル刃や打ち込んだボルトを引き抜く際に使用するものであった。
【発明の開示】
【発明が解決しようとする課題】
【０００３】  これには次のような欠点があった。携帯式の電動ハンドドリルを使用していて、ドリル刃が材木の節などに強く食い込んでしまうと、ドリル刃の回転が止まるがモーターは回転しようとする。携帯式の電動ハンドドライバーも、ボルトを打ち込み終わるとボルトの回転が止まり、ドライバー刃も回転が止まるがモーターは回転しようとする。作業者は、それらと同時に、この頃合いをみて携帯式の電動ハンドドリルや電動ハンドドライバーのスイッチをオフにしていた。
しかし、作業者が頃合いをみてスイッチをオフにしようとしても、最近の携帯式の電動ハンドドリルや電動ハンドドライバーは性能が向上しているので、刃の回転が止まると、携帯式の電動ハンドドリルや電動ハンドドライバーの本体にかかる反作用によって、ハンドルを握っている作業者の手に強烈で急激な負担がかかるようになる。その結果、作業者が手首や腕などを捻挫したり骨折する場合がある。本発明は、この欠点を除くためになされたものである。
【課題を解決するための手段】
【０００４】  この欠点を解決するには、刃の回転が止まると生じる、携帯式の電動ハンドドリルや電動ハンドドライバーの本体にかかる反作用を打ち消すことが必要になる。単に、モーターの回転を止めるだけでは、その効果は得ることができない。どうしても、モーターを逆回転させる必要がある。この様な考えのもとに、図２で示すような、下記の要件を備えてなることを特徴とするモーターの自動逆転器のロックアウトスイッチをオンにする仕組みを発明した。
（イ）ロックアウトスイッチ１の一方の回路２に、電気伝導性の支柱３を取り付ける。
（ロ）電気伝導性の支柱３に電気伝導性の板４を取り付ける。
（ハ）電気伝導性の板４に電気伝導性の重り５を取り付ける。
（ニ）電気伝導性の重り５の周囲に、電気伝導性の重り５に触れないように、電気伝導性の囲み９を設ける。
（ホ）電気伝導性の囲み９の一部に、ロックアウトスイッチ１のもう一方の回路６を取り付ける。
【発明の効果】
【０００５】  本発明は以上のような構成になっているので、刃の回転が止まると、携帯式の電動ハンドドリルや電動ハンドドライバーの本体に、反作用によって急激な振動を生じ、重り５が支柱３を軸にぶれる。そして、ぶれた重り５は囲い９に衝突する。すると、回路２と回路６に電流が通じ、自動的にモーターの自動逆転器のロックアウトスイッチがオンになり、モーターが逆回転し、携帯式の電動ハンドドリルや電動ハンドドライバーの本体にかかる反作用を打ち消すことができる。その結果、ハンドルを握っている作業者の手に強烈で急激な負担がかかることを防止でき、作業者が手首や腕などを捻挫したり骨折することが極めて少なくなる効果を生む。
【発明を実施するための最良の形態】
【０００６】以下、本発明を実施するための最良の形態について説明する。
（イ）ロックアウトスイッチ１の一方の回路２に、電気伝導性の支柱３を取り付ける。
（ロ）電気伝導性の支柱３に電気伝導性の板４を取り付ける。
（ハ）電気伝導性の板４に電気伝導性の重り５を取り付ける。
（ニ）電気伝導性の重り５の周囲に、電気伝導性の重り５に触れないように、電気伝導性の囲み９を設ける。
（ホ）電気伝導性の囲み９の一部に、ロックアウトスイッチ１のもう一方の回路６を取り付ける。
【その他の実施例】
【０００７】  本発明は、図４，５で示すように、電気伝導性の板４の代わりにバネ１０を使用してもよい。
【図面の簡単な説明】
【０００８】
【図１】従来のモーターの自動逆転器の主要部を示す配線図である。
【図２】本発明の構造図である。
【図３】本発明の斜視図である。
【図４】本発明のその他の実施例を示す構造図である。
【図５】本発明のその他の実施例を示す斜視図である。
【符号の説明】
【０００９】  １ロックアウトスイッチ    ２回路    ３支柱    ４板    ５重り
６回路    ７自動逆転器    ８モーター    ９囲い    １０バネ
【図１】
2005144652.tif 000003
【図２】
2005144652.tif 000004
【図３】
2005144652.tif 000005
【図４】
2005144652.tif 000006
【図５】
2005144652.tif 000007
(57)【要約】【課題】色々なサイズや形状のＬ形レンチを簡単に取り付けることが出来、ラチエットハンドル等で使用しても正確に中心に回転力が伝達できる構造のアダプターを提供する。【解決手段】アダプターの基本を一般に使用されているドリルチャックと同様の構造としてＬ形レンチを取り付けたときにＬ形レンチの中心が自動的にアダプターの中心に合う様にすると共にアダプター後部にＬ形レンチの片側が干渉しない様に溝を切り、ハンドルの取り付けのための六角部分と四角のはめ合い部分を設ける事によってＬ形レンチを後部から差し込んで外側リングを締め込めばアダプターに固定され、その後ラチエット等様々なハンドルやレンチを使用して取り付けたＬ形レンチの中心に正確に回転力が伝達できるアダプターとする。【選択図】図１
2005144650.tif 000002
【特許請求の範囲】
【請求項１】
様々なサイズや形状のＬ型レンチをラチェツトハンドルやスピンナーハンドル等を使用して、締める事ができる様にしたことを特徴とするＬ形レンチアダプター。
【発明の詳細な説明】
【技術分野】
【０００１】  本発明はラチエットハンドル等でＬ形レンチを廻す事が出来るアダプターに関するものである。
【背景技術】
【０００２】  Ｌ形レンチで長い方を使って締めようとするとハンドル側が短い方になるので力が入らず回し難い上、正確に中心に力を掛けるのが難しい。【０００３】  今までプライヤ等で掴んだりパイプ状の物を継ぎ足して回していたがどうしてもこじる様になり回し難い。【０００４】  従来は、Ｌ形レンチをラチエットハンドル等で回すことが出来るアダプターは無かった。
【発明の開示】
【発明が解決しようとする課題】
【０００５】  解決しようとする問題点は、アダプターに色々な大きさの違うＬ形レンチを取り付けたときにアダプターの中心とＬ形レンチの中心を一致するようになるような構造でなおかつＬ形レンチの取り付けを簡単に行う事が出来る様にするかである。
【課題を解決するための手段】
【０００６】  本発明は、一般に使用されているドリルチャックと同様の構造としてＬ形レンチの中心とアダプターの中心を一致するようにすると共にＬ形レンチをアダプターの後部から差し込んで外側リング部分を締めこむだけで簡単に取り付けできるようにしたことを最も主要な特徴とする。
【発明の効果】
【０００７】  本発明のアダプターは、Ｌ形レンチを後部から差し込んで外側リングを締めこむだけで簡単に取り付けができるだけでなくアダプターの中心に自動的にＬ形レンチの中心が合う様な構造としているのでラチエットハンドル等で使用しても非常に回し易く正確に中心に回転力が伝達出来るという利点がある。
【発明を実施するための最良の形態】
【０００８】  Ｌ形レンチをアダプターに取り付けラチェットハンドル等で回せる様にするという目的を、最小の部品点数で、実現した。
【実施例１】
【０００９】  図１は、本発明アダプターの１実施例の断面図であって、アダプターにＬ形六角レンチを取り付けた状態を示す物である。【００１０】  後部からアダプターにＬ形レンチを差し込み外側リング部分を締め込む事によってアダプターの中心にＬ形レンチを固定することが出来る。
【産業上の利用可能性】
【００１１】  色々なサイズ形状のＬ形レンチを一つのアダプターで使用でき、各種のハンドルを使用できるので場所によって使い分けでき実際の作業効率を上げるのにおおいに役立つ。
【図面の簡単な説明】
【００１２】
【図１】Ｌ形レンチ用アダプターの使用状態を示した断面図である。
【図２】Ｌ形レンチ用アダプターの使用状態を示した立体図である。
【符号の説明】
【００１３】１  外側リング
２  レンチホルダー
３  スプリング
４  ワッシヤー
５  アダプター本体
６  Ｌ形レンチ
【図１】
2005144650.tif 000003
【図２】
2005144650.tif 000004
(57)【要約】【課題】  独自性にあふれ、ファッション性に優れたサンダル等の履物に使用されるバンド及びこれを備えた履物を提供できるようにする。【解決手段】  履物用バンドは、履物用バンドが、円筒若しくは扁平な筒状に形成された透明若しくは半透明の筒体と、当該筒体に挿入若しくは充填された意匠部材とで形成し、履物で、意匠部材を筒体に充填した履物用バンドを履物に取付けるようにした。【選択図】図１
2005144072.tif 000002
【特許請求の範囲】
【請求項１】
少なくとも一端がソールに固定された履物用バンドであって、該履物用バンドが、円筒若しくは扁平な筒状に形成された透明若しくは半透明の筒体と、当該筒体に挿入若しくは充填された意匠部材とで形成したことを特徴とする履物用バンド
【請求項２】
請求項１に記載の履物用バンドを取付けたことを特徴とする履物。
【請求項３】
請求項１または請求項２に記載の履物用バンドがフロント用バンドまたは／およびバック用バンドであるもの。
【発明の詳細な説明】
【技術分野】
【０００１】
本発明は、サンダル等の履物に使用されるバンド及びこれを備えた履物に関するものである。本発明でいうところの履物はサンダルに限られず、スリッパ等、本発明の主旨を損なわないで実施可能なものは全て含まれる。
【背景技術】
【０００２】
一般にサンダル等においては、両端部が底部材の先寄り部に連結されてアーチ状に形成されたバンド（甲皮）が設けられており、このバンドで爪先部分を固定することによりサンダルが脱げないようになっている。またサンダルにおいてはかかと部分にもアーチ状のバンド（所謂バックバンド）を設けたものもある。
【０００３】
ところが、こうしたバンドの多くは合成樹脂シートを形抜きしたものが用いられており、いずれのメーカのものでも画一的で大差はなく、独自性に欠け、見た目にも面白味に欠けるという問題があった。
【特許文献１】特開２００１−８７０３号公報
【発明の開示】
【発明が解決しようとする課題】
【０００４】
本発明は上記問題点に鑑み提案されたもので、独自性にあふれ、ファッション性に優れたサンダル等の履物に使用されるバンド及びこれを備えた履物を提供できるようにすることを目的とするものである。
【課題を解決するための手段】
【０００５】
本発明にかかる履物用バンドは、少なくとも一端が底部材に固定された履物用バンドであって、該履物用バンドが、円筒若しくは扁平な筒状に形成された透明若しくは半透明の筒体と、当該筒体に挿入若しくは充填された意匠部材とで形成したことを主要な特徴とするものである。
【０００６】
本発明にかかる履物は、少なくとも一端が底部材に固定された履物用バンドであって、該履物用バンドが、円筒若しくは扁平な筒状に形成された透明若しくは半透明の筒体と、当該筒体に挿入若しくは充填された意匠部材とで形成した履物用バンドを取付けたことを主要な特徴とするものである。
【０００７】
また、本発明では履物用バンドがサンダルのフロント用バンドまたは／およびバック用バンドであることも特徴とするものである。
【発明の効果】
【０００８】
本発明の履物用バンドでは、履物用バンドが、円筒若しくは扁平な筒状に形成された透明若しくは半透明の筒体と、当該筒体に挿入若しくは充填された意匠部材とで形成し、本発明にかかる履物では、意匠部材を筒体に充填した履物用バンドを履物に取付けるようにしてあるので、この透明または半透明な筒体に充填した意匠部材が外部から視認でき、独自性並びにファッション性を高められることができる利点がある。
【０００９】
加えて、メーカにあっては、意匠部材を変えることにより、個別化がはかれ、低コストで多品種の生産が行なえるという利点もある。
【発明を実施するための最良の形態】
【００１０】
以下本発明にかかる履物に使用されるバンド及びこれを備えた履物の最良の形態を図面に基づいて説明する。
図１は本発明の履物の１種であるサンダルの斜視図であって、図中符号１はサンダルを全体的に示す。
このサンダル１は、底部材２と、両端部分３ａ・３ｂが底部材２に固定され足の甲部分にアーチ状に掛け渡されたバンド３とからなる。
【００１１】
底部材２は、弾性力のあるウレタン樹脂で形成された本体部分４と、この本体部分４の上面に貼着された上面シート５とからなり、アーチ状に掛け渡されたバンド３の両端部分３ａ・３ｂは本体部分４と上面シート５との間に挿入され、本体部分４に固定されている。
そして、バンド３は、透明で可撓性を有する合成樹脂で円筒状に形成された筒体６と、この筒体６に挿入された意匠部材８とからなる。
【００１２】
意匠部材８は表面に薄い金属色を施した複数の球体（ビーズ）で形成されており、図２に示すように一端６ａを閉塞した筒体６の他端の開口部６ｂから球体からなる意匠部材８を充填した後、当該開口部分６bを閉塞すると本発明にかかる履物に使用されるバンド３が完成する。
このバンド３は、その両端部分３ａ・３ｂを釘やステップル、あるいは溶着で底部材２に止めつける。
然る後、バンド３の両端部分３ａ・３ｂを隠すように上面シート５を貼着すると本件特許発明のサンダル１が完成する。
斯くして製作されたサンダル１は、バンド３の筒体６に封入された意匠部材（表面に薄い金属色を施した複数の球体）８を外部から視認でき、その色合い等を楽しむことができる。
【００１３】
上記の実施の形態ではバンド３の筒体６を円筒状に形成するようにしてあるが、図３に示すように扁平に形成し、意匠部材８を文字や模様９を形成したテープを挿入することもできるし、溶解乃至混合不能な複数の着色液体を封入することにより、歩く度にその動きを楽しめるようにすることもできる。
また、上記の実施の形態では甲側のバンドとして説明してあるが、こうしたものに限られず、図４に示すようにバックバンド７にも使用することができるのは勿論のことである。
さらに、図２に示す各パーツをキットにし、購入者が自分で組み立てサンダル１を完成できるようにすると、バンド３の筒体６内に挿入する意匠部材８は好きなものを入れることができ、より一層オリジナリティにあふれたサンダル１を製作することができる。
因みに、上記実施の形態のバンドを既存の履物に、あるいは一般的な履物の製作時に飾り用パーツとして使用することもできる。
【図面の簡単な説明】
【００１４】
【図１】本発明にかかる履物の斜視図である。
【図２】本発明にかかる履物の分解斜視図である。
【図３】本発明にかかる履物のバンドの変形例を示す分解斜視図である。
【図４】本発明にかかるバンドを履物のバックバンドにも使用した斜視図である。
【符号の説明】
【００１５】
１・・・履物（サンダル）
２・・・底部材
３・・・バンド
３ａ・３ｂ・・・３の両端部分
４・・・本体部分
５・・・上面シート
６・・・筒体
７・・・バックバンド
８・・・意匠部材
９・・・模様
【図１】
2005144072.tif 000003
【図２】
2005144072.tif 000004
【図３】
2005144072.tif 000005
【図４】
2005144072.tif 000006
(57)【要約】      （修正有）【課題】糞尿物等の有機廃棄物を、水分を調整するために木片を添加することなく経済的に能率よく速やかに、しかも悪臭を少なくして分解消失する。微生物担体に無理な力が作用しない様に微生物担体と糞尿物等とも理想的な状態で均一に攪拌する。【解決手段】糞尿物を微生物担体で消失させる処理装置は、処理槽８に供給された糞尿物７を攪拌部材６Ａ・６Ｂで攪拌して微生物で分解消失させる遠赤外線を放射する無機質の多孔質焼結粒である、微生物担体９を糞尿物７に混合すると共に微生物担体９に好気性細菌を棲息させ、この好気性細菌で処理槽８に供給された糞尿物７を分解消失させる。【選択図】図１
2005144081.tif 000002
【特許請求の範囲】
【請求項１】
消滅型処理槽▲８▼のなかに糞尿と木片チップと遠赤外線を放射する無機質の多孔質焼結粒を混合回転攪拌する消滅型と、糞尿の入ったバケツ型容器▲３▼の取出処理型との両用を、１個のポータブル型で出来る事を目的としたものである。
【発明の詳細な説明】
【発明の詳細な説明】
【技術分野】
【０００１】  本発明はポータブルトイレの消滅型を主体としている。処理槽▲８▼には木片チップ▲９▼と遠赤外線を放射する無機質の多孔質焼結粒▲１０▼を混合回転攪拌する消滅型で、木片チップのおおきさは国内では多孔質の杉材で１ｃｍ角が最適で微生物が住みやすい。  糞尿の回転攪拌は微生物にとって最も大切な作業で、満遍なく攪拌することがたいせつである。本技術は▲６▼の２軸でクランク型のため効率よく回転でき、且つ処理槽▲８▼を大きく使用でき、微生物が糞尿を餌としてどんどん繁殖し水と炭酸ガスに分解消滅する。２４時間経つと使用前の状態に戻る、又１年に１回程度に補充又は全部取替することも容易に出来る▲１１▼引出式である。又本処理槽▲８▼に遠赤外線を放射する無機質の多孔質焼結粒▲１０▼が混合されている。多孔質焼結粒の焼結温度は８００〜９００℃が最適である。遠赤外線を放射する無機質の多孔質焼結粒は糞尿等に直接加温し微生物担体に作用する、これを能率よく炭酸ガス、水分、アンモニア等のガスに分解消滅する、本介護用ポータブルトイレは室内使用のため微生物繁殖環境には問題なく目的達成する。
【背景技術】
【０００２】  現在の介護型ポータブルトイレは病院、住居等に位置して介護人以外の人によって尿の入った尿槽▲３▼を水洗その他の便所に持って処理する方法が一般的である。又最近では、バイオ消滅式が出来ているが高価である。
【発明が解決しようとする課題】
【０００３】  図１と図２に示す糞尿等消滅装置では、供給される糞尿物質等は十数時間で殆ど完全に分解できる。この構造の消滅装置は６Ａ・６Ｂの攪拌羽根で槽内の微生物担体と糞尿と理想的な状態で均一に攪拌するのが難しい。この構造の便槽は微生物担体の温度を快適な温度に保持して、能率よく分解できる。ただ冬期に微生物担体の温度が相当に低下すると、微生物の働きが低下して、分解する能力が著しく低下する欠点があるが、本発明は介護用ポータブルトイレで、介護居室の身近に位置するので、本発明の大切な目的は微生物担体に無理な力が作用しない様に、微生物担体と糞尿物等を理想的な状態で均一に攪拌できる、糞尿物をバクテリアで分解して消失する廃棄装置を提供する事である。また本発明の他の大切な目的は全体の据付面積を小さくして多量の糞尿等を効率良く廃棄出来る、糞尿等をバクテリアで分解して消失する介護型ポータブルトイレを提供する事にある。
【課題を解決するための手段】
【０００４】  本発明の糞尿等を微生物担体で消失させる処理装置は、処理槽▲８▼に供給された糞尿物▲７▼を攪拌部材６Ａ・６Ｂの攪拌動で微生物担体をもって分解消失させる。この装置は処理槽▲８▼を後部の方向に引出式開口する。更に処理槽内に無機質の多孔質焼結粒状の微生物担体▲９▼に配設しているので、糞尿等が分解消失される。本発明の処理装置は微生物担体▲９▼に遠赤外線を放射する無機質の多孔質焼結粒材を使用して微生物担体を直接加温する。このため微生物担体に適温を提供できるので、極めて能率良く糞尿物▲７▼を分解消失できる特徴がある。
【実施例】
【０００５】  本発明の実施例を図面に基づいて説明する。但し、以下に示す実施例は、本発明の技術思想を具体化するための糞尿等を微生物担体で消失させる処理装置を例示するものであって、本発明の処理装置を下記の物に特定しない。  図１に示す糞尿物等を微生物担体で消失させる処理装置は、処理槽▲８▼と攪拌部材６Ａ・６Ｂとを備え、処理槽▲８▼には糞尿等の有機廃棄物に微生物担体▲９▼を混合している処理槽は横長方形で引出式であり糞尿物等を提供する、微生物担体▲９▼は処理槽▲８▼に提供される糞尿物等▲７▼に直接混合され、微生物担体▲９▼は微生物担体を快適な環境で棲息させる無機質の多孔質焼結粒体であり、無機質材は球形やブロック状の多孔質の形状に成形し焼結したものである。焼結温度は１０００℃以下とするが、好ましくは８００〜９００℃で焼結するのが良い。さらに多孔質焼結体はアンモニア等のガス類を除去する働きが大きい特徴があり、攪拌羽根６Ａ・６Ｂは中間をほぼ９０度に湾曲されている鎌の様な形の金属ロッドで交互に長さが異なるように回転軸に固定されている。
【発明の効果】
【０００６】  本発明の糞尿等をバクテリアで分解して消失する廃棄装置は微生物担体を無理な力が作用しない様に均一に攪拌できる特徴がある。  本発明の処理装置は微生物が棲息している木片の中に無機質の多孔質焼結粒を理想的な状態で混ぜ合わせた微生物担体の中に糞尿等を入れ、６Ａ・６Ｂの攪拌羽根に回転攪拌した結果十数時間後には殆ど完全に分解消失した。
【図面の簡単な説明】
【図１】断面を表す図
【図２】横断面を表す図
【符号の説明】
１：トイレフタ  ２：便座  ３：バケツ型容器  ４：ポータブルトイレ本体  ５：ハンドル  ６：攪拌羽根  ７：糞尿物  ８：処理槽  ９：微生物担体１０：多孔質焼却粒１１：引出取手
【図１】
2005144081.tif 000003
【図２】
2005144081.tif 000004
(57)【要約】【課題】  汁物料理や、鍋料理等で穴明きのお玉や普通のお玉を使い分ける事無く一本で済ませるようなお玉。【解決手段】  お玉の柄の取り付け部分を柄に沿って面積を増し、その部分を穴明きとする。【選択図】  図１
2005144090.tif 000002
【特許請求の範囲】
【請求項１】
普通のお玉と穴明きお玉の両方の利点を持ち、汁物の料理等を注ぎ分ける場合、汁を切って具のみ注ぐ時と汁だけ注ぐ時、一つのお玉で済ませる事が出来る。
【請求項２】
右利き、左利きの方に関係無く、同じく使用出来る。
【発明の詳細な説明】
【発明の詳細な説明】
【技術分野】
【０００１】本発明は、お玉の部分を柄に沿って面積を増し、その部分を穴明きにする。普通に掬うと汁が掬え、そのまま柄を手前に傾ければ、汁を切ることが出来き、左右の手のどちらでも同じく使用できる物である。
【背景技術】
【０００２】従来はなかった。
【発明が解決しようとする課題】
【０００３】汁物料理、又は鍋物料理等注ぐ時に、お玉（穴明きお玉）の使い分けが面倒で手間が掛かる。それを解決した物である。
【課題を解決する為の手段】
【０００４】お玉の部分１を柄２に沿って面積を増し、その部分３を穴明きとする
【発明を実施するための最良の形態】
【０００５】以下、本発明の実施の形態について説明する。
イ）お玉１の柄２の取り付け部分３を柄に沿って面積を増し、その部分３を穴明きとする。普通のお玉は丸いが本発明は楕円形で半分は穴明きである。
【発明の効果】
【０００６】お玉が一本で済む事によりお玉を使分ける必要が無く、具を掬った後お玉の柄を手前に少し傾けるだけで汁が切れて手間が掛からない。又、左右の手、どちらでも同じように使える。
【図面の簡単な説明】
【０００９】
【図１】「本発明を示した立体図である。」
【図２】「本発明を示した側面図である。」
【図３】「本発明を示した断面図である。」
【図４】「本発明の使用説明を示した断面図である。」
【符号の説明】
１．お玉本体
２．お玉の柄
３．穴明き部分（お玉本体の面積を増した部分）
４．食材
５．食材（汁等）
【図１】
2005144090.tif 000003
【図２】
2005144090.tif 000004
【図３】
2005144090.tif 000005
【図４】
2005144090.tif 000006
(57)【要約】【課題】ゴルフパットのスイングを正面から見たイメージに近い形でスイングすることができること。【解決手段】ゴルフパターとシャフトのライ角を９０度することにし、プレイヤーの顔が傾かずに正面を向くことができ、且つ球型グリップを２箇所設け、そのグリップが任意の位置に移動できフォームを固定しやすくなるので、正面から見たイメージに近い形のスイングフォームでパットができる。【選択図】図４
2005144082.tif 000002
【特許請求の範囲】
【請求項１】
ゴルフパターのシャフトがヘッドから端部までストレートであり、パターヘッドと前記シャフトの結合部がフェイス面から見て左右対称のライ角９０度にし、前記シャフトの端部に振り子の支点となるグリップとシャフトの中央部に振り子の力点となるグリップを有し、前記中央部のグリップの位置を微調整できることを特徴とするパタークラブ。
【発明の詳細な説明】
【技術分野】
【０００１】  本発明は、ゴルフパットの成功率をあげるのを容易にするゴルフパターに関するものである。
【背景技術】
【０００２】ゴルフ誕生以来、ゴルフクラブはボールを飛ばす方向に対して横を向いてスイングする為の道具という固定概念がある。ボールを遠くへ飛ばすことを目的とする動作の場合は、横を向いてスイングすることが最も適していると思われるが、グリーン上のパター操作ではホールにボールを入れる目的に対してこの条件に当てはまらない。ボールからホールまでの芝目や傾斜を考慮し方向と距離を合わせて、より正確にスイングすることが最も重要なポイントである。ところが現状はパター操作に入る前に、一旦正面から見て描いたボールが転がるラインのイメージを、横からの操作に合わせて９０度回転させ、縦のイメージを横の操作に置き換える為、簡単なラインも複雑で難しく感じてしまい、そのパターのイメージから操作の一連の流れにおいて、絶対的な自信をもって操作することが困難な状況のままプレーすることが多い。その結果イメージしたラインと実際の打ち出し方向を誤ったままスイングしたり、距離感を読み違えたり、同時に従来のクラブスイングは三次元の円弧を描く軌跡の途中に、ボールを点で捕らえていた為、僅かなスイング精度の狂いにより、ひっかけやプッシュ、又はトップやダフリ等の操作ミスによる方向と距離の狂いが発生することも含めて、熟練プレイヤーでもパター操作を失敗する例が多い。
【発明の開示】
【発明が解決しようとする課題】
【０００３】正面から見たイメージのままゴルフパターで、支点と力点を用いた垂直に円弧軌跡を描く振り子式スイングを正面からすること。
【課題を解決するための手段】
【０００４】ゴルフパターのシャフトが中尺（プレイヤーの身長によって異なるが１０００ｍｍ〜１２００ｍｍ位）かつ、パターヘッドから端部までがストレートのシャフトであり、パターヘッドとの結合部がフェイス面から見て左右対称のライ角９０度にし、前記シャフトの端部に振り子の支点となるゴルフボール大の球形グリップとシャフトの中央部に振り子の力点となるゴルフボール大の球形グリップを有し、前記中央部のグリップの位置を微調整できるようにすること。
【発明の効果】
【０００５】  本発明のゴルフパターは、従来のゴルフパターのようにラインに対しプレイヤーの顔が垂直でなく、ラインに対しプレイヤーの顔や身体の上半身を正面ほぼ平行に向けられるので、正面から見たラインのイメージを９０度回転させて打つ必要が無い。従ってパットスイング前に正面から見たままのイメージ通りであり、イメージがずれない為シンプルかつスムースに極めて正確なパッティングがし易いという利点がある。又、ホールに向かってのボールの打ち出し方向に対して、クラブシャフト並びにクラブヘッドを垂直に垂らし振り子の原理を利用して操作する為、打ち損じる可能性を最小限に抑えることが出来る。
【発明を実施するための最良の形態】
【０００６】ゴルフパターのシャフトが中尺（プレイヤーの身長によって異なるが１０００ｍｍ〜１２００ｍｍ位）かつ、パターヘッドから端部までがストレートのシャフトであり、パターヘッドとの結合部がフェイス面から見て左右対称のライ角９０度にし、前記シャフトの端部に振り子の支点となるゴルフボール大の球形グリップとシャフトの中央部に振り子の力点となるゴルフボール大の球形グリップを有し、前記中央部のグリップの位置を微調整できる。
【実施例１】
【０００７】  図１は、右利きのプレイヤーが本発明を使用している上から見た本発明実施例で、ゴルフパターの操作において操作方法は左足７をボール４とホール５を結んだ一直線に並行して、右足６のつま先を左足７のかかとに着けて左足７に対して直角にそれぞれスタンスをとる。図２は図１を側面から見た図で、図３はホール５から見た図で、上半身は左足６に対して斜め約４５度で前方に約４５度屈み、顔は真下にボール４を見下ろせる位置で正面をホールに向ける。体の脇に左肘を固定するように構えた左手でグリップ１を握り、支点となるようにしっかり固定する。右手でグリップ２を握り、グリップ１を視点に、グリップ２を力点とし、振り子を振るように操作する。ライ角９０度のヘッド部３の重さを利用してパターを地面に垂直に垂らすように構え、構えた時に地面に垂直になるフェース面３ａを有し、ホールに向けてボール４とホール５を結んだ一直線上で顔の正面をホールに向けたままスイングすることができ、正面から見たイメージに近くスイングが出来る。【０００８】  図４は、本発明グリップを説明する図面である。グリップ２はスライド式に位置を調節可能なので、プレイヤーが好みにあわせてグリップの位置を微調整することができる。グリップはゴルフボールの形状のように凸凹な表面になっていればグリップ力を増すので、使い勝手が良い。尚、グリップの型状は如何なる形状をした形も本発明実施例に含まれる。
【産業上の利用可能性】
【０００９】  このような形態のゴルフパターにより、より正面から見たイメージに近いスイングを打つことが従来のパターで行うより容易に出来る。さらに、グリップの位置が調整可能なので、使用するプレイヤーの好みに合わせて微調整が可能で、且つ、本発明は右利きでも左利きでも使用可能である。よって、大量生産の際様々なグリップ位置の製品や、利き腕による異なる種類を生産しなくても良いという利点がある。
【図面の簡単な説明】
【０００９】
【００１０】
【図１】本発明実施例を上から見た図面
【図２】本発明実施例図１を側面から見た図面
【図３】本発明実施例図１をホール側から見た図面
【図４】本発明グリップの図面
【符号の説明】
【００１０】  １    グリップ
２    スライド式グリップ
３    パターヘッド
３ａ    パターフェース面
４    ボール
５    ホール
６    左足
７    右足
【図１】
2005144082.tif 000003
【図２】
2005144082.tif 000004
【図３】
2005144082.tif 000005
【図４】
2005144082.tif 000006
(57)【要約】      （修正有）【課題】注射針を電流で溶解する時、火花とアークによる紫外線が発生し危険である。安全にかつ早く注射針を溶解する装置を提供する。【解決手段】上部電極の円錐型の穴より注射針を差し込むと下部電極と注射針により短絡されジュール熱により溶解する。電池と両電極間の保護回路により電流が大きくなると断続して電流を流す回路を付けた注射針溶解機又、上部電極に円錐型の穴から針を挿入する為、火花や紫外線が、外部に漏れなくした電極の構造に特徴がある。上部電極の下にバネが入っており上部電極が上下に動く為、注射針の根元まで溶解できる。【選択図】図２
2005144085.tif 000002
【特許請求の範囲】
【請求項１】
図２の様に４電池と１上部電極、２下部電極の間にＭＯＳＦＥＴによるスイッチング回路を加え電極に針が挿入された時の大電流が流れると高速で電流をオンオフする事を特徴とする注射針溶解装置
【請求項２】
図２において１上部電極の銅板に円錐の穴を開け、その穴に注射を挿し込むと２下部電極に針が接触しジュール熱により針が溶ける。
円錐の下部は注射針より少し大きい穴の為、針自身が穴を塞ぐので火花やアークが作業者の目に入らなくした電極
【発明の詳細な説明】
【発明の詳細な説明】
【産業上の利用分野】
針や注射針は捨てる時、先端が尖っていると作業者に刺さり危険である。捨てる前に先端部分を溶かしてしまえば安全である。
【従来の方法と問題点】
従来の注射針溶解装置は針の太さが変わると、溶解時間が長すぎたり、火花が出すぎたりして危険であった。
又、直流のアークが発生すると紫外線が使用者の目に入ると危険であった。
【考案が解決しようとする課題】
針の太さが変わっても火花の発生を少なくし又紫外線を外部に出なくし、溶解時間を極力短くする。
【問題を解決する手段】
これを図面で説明する
（イ）図１のケースに図２の主要部品が入っている
（ロ）ケース上部の穴の下には１上部電極と２下部電極が配置してある、材質は良導体（この場合は銅）。
１上部電極中央の円錐の穴から注射針を差し込むと両電極は同針により電気的に短絡され溶解する。
（ハ）この両電極へは４電池により３保護回路を通して直流電圧が供給される。
（ニ）３保護回路は、図３の７ＭＯＳＦＥＴと６ＭＯＳＦＥＴ制御回路と５電圧検出回路で構成される。
【作用】
図２において針を差し込むと１上部電極と２下部電極が針により短絡される。針は固有抵抗が大きいのでジュール熱により溶断される、ＭＯＳＦＥＴのＯＮ時のドレインソース間電圧がドレイン電流に逆比例することを利用して６ＭＯＳＦＥＴ制御回路は７ＭＯＳＦＥＴのドレインソース間電圧が大きい時は連続してオンし小さい時は数百Ｈｚ〜数ｋＨｚ高速でオンオフを繰り返す様に制御する（図４参照）
つまり大電流を連続で流さない回路となる。その為アークはすぐに消える。又、火花やアークは１上部電極の下側で発生するので、紫外線が外部に出ない。
【考案の効果】
大電流が流れた時はアークの発生が大きいが直ぐにオフする為アークは直ぐに消え火花の発生は最小限に制限される。
又、７ＭＯＳＦＥＴは、電流の最大値は制限しないので溶解速度は太い針の時は少し落ちる程度である。
従って針の太さが変わっても、その変化を５電圧検出回路で検出し制御するので火花の発生が最小になり、安全に処理できる。
また電流をオンオフするので消費電力が少なく一回の充電での処理本数が倍に増えた。
【図面の簡単な説明】
【図１】外形図
【図２】主要部の詳細図  図１の内部構成
【図３】保護回路構成図  図２の３保護回路明細
【図４】電極の電流  図３の保護回路により流れる電流波形  １  上部電極  ２  下部電極  ３  保護回路  ４  電池  ５  電圧検出回路  ６  ＭＯＳＦＥＴ制御回路  ７  ＭＯＳＦＥＴ
【図１】
2005144085.tif 000003
【図２】
2005144085.tif 000004
【図３】
2005144085.tif 000005
【図４】
2005144085.tif 000006
(57)【要約】【課題】所要径と所要重量を有する球のその重さと圧力を利用し、寝ている身体の腹部に置き、転がすことで、腹部、内臓を簡単、効率的にマッサージすることができることを特徴とする、腹部内臟マッサージボールを提供する。【解決手段】弾力のある素材によって表面をコーティングしクッション部分を設けた、所要径と所要重量を有する球であり、その球の重圧を利用し、上向きに寝ている身体の腹部に置き、転がすことで、腹部、及び内臓を刺激しマッサージすることができることを特徴とする腹部内臓マッサージボール。【選択図】図１
2005144083.tif 000002
【特許請求の範囲】
【請求項１】
弾力のある素材によって表面をコーティングし、クッション部分を設けた、所要径と所要重量を有する球であり、その球の重さと圧力を利用して身体をマッサージすることができることを特徴とする腹部内臓マッサージボール。
【請求項２】
弾力のある素材によってコーティングされたクッション部分の表面に、所用高のある凹凸を有してなる請求項１記載の腹部内臓マッサージボール。
【発明の詳細な説明】
【技術分野】
【０００１】  本発明は、所要径と所要重量を有する球のその重さと圧力を利用し、寝ている身体の腹部に置き、転がすことで、腹部、内臓を簡単、効率的にマッサージすることができることを特徴とする、腹部内臓マッサージボールに関するものである。
【背景技術】
【０００２】  従来、腹部、内臓のマッサージは手や、手持ちの指圧棒を使用して腹部を押していた。
【発明の開示】
【発明が解決しようとする課題】
【０００３】  そのために、次のような問題点があった。
（イ）手、あるいは手持ちの指圧棒で腹部を押したとき、反作用による押し返しをまともに受ける為、手、腕、肩に相当な負担がかかり疲労しやすく、効率的でない。
（ロ）内臓のマッサージは、腹部、内臓といった広範囲な部分を刺激しほぐすことを目的としており、指圧棒などのツボを押すようなピンポイントの刺激では、十分なそれを実現するのは困難だった。
（ハ）指圧棒で腹部を押したときその接触面の狭さから、刺激が局所的になり過ぎ必要以上の痛みをともなうことがあった。
本発明は以上のような問題点を解決しようとするものである。
【課題を解決するための手段】
【０００４】  弾力性のある素材によりコーティングを施しクッション部分（２）を設けた、所要径と所要重量を有する球（１）のその重さと圧力を利用し、上向きに寝ている身体の腹部に置き、転がすことで、腹部及び内臓をマッサージすることができることを特徴とする、腹部内臓マッサージボールである。
【発明の効果】
【０００５】  本発明は、腹部、内臓のマッサージを施すさい、所要径と所要重量のある球の重さと圧力を利用し、仰向けに寝ている身体の腹部の上に置き、転がすことで、腹部、内臓、及びインナーマッスルを刺激し、こわばりをほぐし、そのマッサージ効果により腸のぜん動運動などの体内運動を促進させることができる。万有引力を利用しているため、従来の手押しによる内臓マッサージに比べ、大幅に手、腕、肩への負担、疲労を軽減でき、一人でも簡単に、より効率的なマッサージを実現する。腹部との接触面が広いため、広範囲に効果的効率的に腹部、内臓を刺激しほぐすことができ、指圧棒使用時にともなうような不必要な過度の痛みを無くし、より安全で快適な内臓マッサージを実現する。
加えて、本発明は腹部の反作用にともなうエネルギー消費により、腹部のダイエットにも役立つ。
【発明を実施するための最良の形態】
【０００６】  以下、本発明の実施形態について説明する。
所要径と所要重量を有する鉄などの金属製の球（１）を、肌触り、フィット感、安全性を考慮し、合成ゴムなどの弾力性のある素材でコーティングを施すことによりクッション部分（２）を設ける。
本発明は以上の構成よりなり、これを使用するときは、仰向けに寝ている身体の腹部に置き、のの字を書くように腹部上を転がす。万有引力を利用しているため従来の手押しによる内臓マッサージに比べ、手、腕、肩への負担を大幅に軽減し、簡単に効率的に腹部内臓及びインナーマッスルを刺激し、こわばりをほぐし、マッサージを施すことができる。
さらに、本発明は使用目的によって、球の大きさ、重さなどを変えれば力の配分、マッサージ効果などにも変化をつけることができ、老若男女に対応できる。
【実施例１】
【０００７】  球（１）をコーティングするクッション部分（２）の表面に、所用高のある凹凸（３）を設けてもよい。圧力ポイントを複数設けることでマッサージに変化を付けることができる。
【図面の簡単な説明】
【０００８】
【図１】本発明の斜視図
【図２】本発明の断面図
【図３】本発明の使用状態を示す斜視図
【符号の説明】
【０００９】１  球
２  クッション部分
３  凹凸部分
【図１】
2005144083.tif 000003
【図２】
2005144083.tif 000004
【図３】
2005144083.tif 000005